(57)【要約】【課題】薄型化できるとともに良好な意匠性が得られる照明器具を提供する。【解決手段】照明器具１０は、天井面１２に取付可能な第１箱部１４と、第１箱部１４の側面１４Ａに対向する位置に設けられた複数の第２箱部１６と、各第２箱部１６間に設けられた複数の第３箱部１８とを備えている。第１箱部１４と各第３箱部１８との間に複数の支持アーム２２が掛け渡され、第２箱部１６と第３箱部１８との間に支持フレーム２４が掛け渡されている。この照明器具１０は、第２箱部１６が灯具であり、かつ、第３箱部１８に点灯装置１９が収容されている。【選択図】図２
2011210527.tif 000002
【特許請求の範囲】
【請求項１】
天井面に取付可能な第１箱部と、
前記第１箱部の側面に対向する位置に設けられた複数の第２箱部と、
前記各第２箱部間に設けられた複数の第３箱部と、
前記第１箱部と前記各第３箱部との間に掛け渡された複数の第１支持部材と、
前記第２箱部と前記第３箱部との間に掛け渡された第２支持部材とを備え、
前記第２箱部および前記第３箱部のうちの一方が灯具であるとともに、前記第２箱部および前記第３箱部のうちの他方に点灯装置が収容されている照明器具。
【請求項２】
請求項１に記載の照明器具において、
前記第２支持部材が枠状である照明器具。
【発明の詳細な説明】
【技術分野】
【０００１】
本発明は、天井面に複数の灯具を支持部材で支えた照明器具に関するものである。
【背景技術】
【０００２】
照明器具のなかには、複数の灯具を支持アームや支持フレームで支えることにより室内の照明を好みに合わせて良好に確保するシャンデリアと称されるものが知られている。このシャンデリアと称される照明器具は、従来より白熱灯が用いられている（例えば、特許文献１〜４参照）。
【先行技術文献】
【特許文献】
【０００３】
【特許文献１】特開２００１−３３８５１９号公報
【特許文献２】特開２００５−７８８４５号公報
【特許文献３】実開平２−９９５１０号公報
【特許文献４】実開平３−６９８０７号公報
【発明の概要】
【発明が解決しようとする課題】
【０００４】
しかし、前述した特許文献１〜４のシャンデリアと称される照明器具は、従来より白熱灯が用いられているため薄型化が難しかった。
【０００５】
本発明は、前述した課題を解決するためになされたものであり、その目的は、薄型化できるとともに良好な意匠性が得られる照明器具を提供することにある。
【課題を解決するための手段】
【０００６】
本発明は、天井面に取付可能な第１箱部と、第１箱部の側面に対向する位置に設けられた複数の第２箱部と、各第２箱部間に設けられた複数の第３箱部と、第１箱部と各第３箱部との間に掛け渡された複数の第１支持部材と、第２箱部と第３箱部との間に掛け渡された第２支持部材とを備え、第２箱部および第３箱部のうちの一方が灯具であるとともに、第２箱部および第３箱部のうちの他方に点灯装置が収容されている。
【０００７】
また、本発明は、第２支持部材が枠状である。
【発明の効果】
【０００８】
本発明の照明器具によれば、第１箱部の側面に対向させて複数の第２箱部を設け、第２箱部間に第３箱部を設け、第２箱部および第３箱部の一方を灯具として他方に点灯装置を収容することにより、灯具および点灯装置を天井面に沿わせて同一面上に配置できる。
これにより、照明器具を薄型にでき、さらに、照明器具の意匠性を高めることができ、加えて、複数の灯具（すなわち、第２箱部）を効率的に支持できるという効果を有する。
【図面の簡単な説明】
【０００９】
【図１】本発明に係る第１実施形態の照明器具を示す斜視図
【図２】図１の照明器具を示す分解斜視図
【図３】第１実施形態の照明器具を下方から見た状態を示す平面図
【図４】第１実施形態の照明器具を上方から見た状態を示す平面図
【図５】図５（Ａ）は第１実施形態の照明器具を下方から見た状態を示す概略図、図５（Ｂ）は第１実施形態の照明器具を上方から見た状態を示す概略図
【図６】図６（Ａ）は第２実施形態の照明器具を下方から見た状態を示す概略図、図６（Ｂ）は第２実施形態の照明器具を上方から見た状態を示す概略図
【発明を実施するための形態】
【００１０】
以下、本発明の複数の実施の形態に係る照明器具１０，４０について図面を参照して説明する。
【００１１】
（第１実施形態）
図１〜図２に示すように、本発明の第１実施形態である照明器具１０は、天井面１２に取付可能な第１箱部１４と、第１箱部１４の側面１４Ａに対向する位置に設けられた複数（４個）の第２箱部１６と、各第２箱部１６間に設けられた複数（４個）の第３箱部１８と、第１箱部１４と第３箱部１８との間に掛け渡された複数の支持アーム（第１支持部材）２２と、第２箱部１６と第３箱部１８との間に掛け渡された支持フレーム（第２支持部材）２４（図３、図４も参照）とを備えている。
【００１２】
第１箱部１４は、天井面１２に矩形状の取付ベース２８が取り付けられ、取付ベース２８が矩形状のフランジ２９で覆われている。
フランジ２９は、表面２９Ａにプラチメタリック塗装が施された鋼製のカバーである。
取付ベース２８の角部２８Ａから鋼製の支持アーム２２がそれぞれ放射状に複数（４本）突出されている。
【００１３】
図３に示すように、支持アーム２２は、フランジ２９と同様に表面に、例えばプラチメタリック塗装が施されている。
各支持アーム２２の先端２２Ａ（図４参照）に第３箱部１８が取り付けられている。具体的には、図４に示すように、第３箱部１８の角部１８Ａのうち天井面１２（図１参照）に対向する面（天井面１２側の面）１８Ｂに取り付けられている。
すなわち、支持アーム２２は、第１箱部１４と第３箱部１８との間に掛け渡されている。
【００１４】
図１に示すように、第３箱部１８の角部１８Ａは、第１箱部１４の角部１４Ｂに対向するように配置され、かつ、第２箱部１６間に設けられている。
第３箱部１８は、略矩形体状に形成され、内部に点灯装置１９（図３参照）が収容された樹脂製のケースである。第３箱部１８の表面１８Ｃは蒸着により銀色に表面仕上されている。
第３箱部１８の表面１８Ｃを銀色に表面仕上して、第３箱部１８で点灯装置１９を覆うことにより点灯装置１９を目視できないように良好に隠して照明器具１０の意匠性を高めることができる。
【００１５】
図４、図５（Ｂ）に示すように、各第３箱部１８の天井面１２側の面１８Ｂに支持フレーム２４が取り付けられている。
支持フレーム２４は、略矩形枠状（略ロ字状）に形成され、支持アーム２２と同様に、例えばプラチメタリック塗装が施されている。
この支持フレーム２４は、第１箱部１４に対して４５度傾いて取り付けられている。
支持フレーム２４の角部２４Ａが第２箱部１６の天井面１２（図１参照）側の面３１Ａに取り付けられ、支持フレーム２４の直線部２４Ｂが第３箱部１８の天井面１２側の面１８Ｂに取り付けられている。
すなわち、支持フレーム２４の直線部２４Ｂが第２箱部１６間に掛け渡され、直線部２４Ｂの略中央部に第３箱部１８が取り付けられている。
【００１６】
図１、図２に示すように、第２箱部１６は、第３箱部１８間に配置されるとともに、第１箱部１４の側面１４Ａに第２箱部１６の側面（セード３４の側面）３４Ａが対向する位置に設けられた灯具である。よって、第２箱部１６で室内などを照射できる。
この第２箱部１６は、支持フレーム２４に矩形状の取付ベース３１が取り付けられ、取付ベース３１にスパイラル管３２が取り付けられ、スパイラル管３２がセード３４で覆われている。
セード３４は、略矩形体状に形成された透明アクリル製のカバーで、内面に白色塗装が施されている。
よって、セード３４でスパイラル管３２を目視できないように隠すことができる。一方、スパイラル管３２から照射された光がセード３４を通過して室内などを照射できる。
【００１７】
以上、説明した本発明の第１実施形態に係る照明器具１０によれば、天井面１２に第１箱部１４を取り付け、第１箱部１４の側面１４Ａに対向する位置に複数の第２箱部１６を設け、各第２箱部１６間に複数の第３箱部１８を設けた。そして、第２箱部１６を灯具とし、第３箱部１８に点灯装置１９を収容した。
よって、複数の第２箱部（灯具）１６および複数の第３箱部（点灯装置１９）１８を天井面１２に沿わせて同一面上に配置できる。これにより、照明器具１０を薄型にでき、さらに、照明器具１０の意匠性を高めることができ、加えて、複数の灯具（すなわち、第２箱部１６）を効率的に支持できる。
【００１８】
さらに、第２箱部１６と第３箱部１８との間に掛け渡された支持フレーム２４を略矩形枠状（略ロ字状）に形成することにより、支持フレーム２４を一部材にでき、部品点数の少数化を図ることができる。
さらに、支持フレーム２４を略矩形枠状（略ロ字状）に形成することにより、支持フレーム２４の剛性（強度）を高めることができるので複数の第２箱部（灯具）１６を効率よく保持できる。
【００１９】
加えて、第３箱部１８の天井面１２側の面１８Ｂに支持アーム２２を取り付け、第２箱部１６の天井面１２側の面３１Ａおよび第３箱部１８の天井面１２側の面１８Ｂに支持フレーム２４を取り付けた。
よって、支持アーム２２および支持フレーム２４を第２箱部１６および第３箱部１８で隠すことができる。
これにより、図５（Ａ）に示すように、複数の第２箱部（灯具）１６と複数の第３箱部（点灯装置１９）１８をそれぞれ浮遊状態（アームレス状態）に配置可能になり、照明器具１０の意匠性を高めることができる。
【００２０】
次に、第１実施形態の変形例の照明器具４０を図６（Ａ）、図６（Ｂ）に基づいて説明する。なお、変形例において第１実施形態の照明器具１０と同一・類似部材については同じ符号を付して説明を省略する。
【００２１】
（変形例）
図６（Ａ）、図６（Ｂ）に示すように、変形例の照明器具４０は、支持フレーム２４を第１箱部１４に対して同じ向きに取り付けられたもので、その他の構成は第１実施形態と同じである。
変形例の照明器具４０によれば、支持フレーム２４が略矩形枠状（略ロ字状）に形成されている。支持フレーム２４の角部２４Ａが第３箱部１８に取り付けられ、支持フレーム２４の直線部２４Ｂが第２箱部１６に取り付けられている。
すなわち、支持フレーム２４の直線部２４Ｂが第３箱部１８間に掛け渡され、直線部２４Ｂの略中央部に第２箱部１６が取り付けられている。
【００２２】
以上、説明した本発明の変形例にかかる照明器具４０によれば、第１実施形態と同様に、照明器具４０を薄型にでき、照明器具４０の意匠性を高めることができ、加えて、複数の灯具（すなわち、第２箱部）を効率的に支持できる。
さらに、支持フレーム２４を一部材にでき、部品点数の少数化を図ることができ、支持フレーム２４の剛性（強度）を高めて複数の第２箱部（灯具）１６を効率よく保持できる。
加えて、支持アーム２２および支持フレーム２４を第２箱部１６および第３箱部１８で隠すことにより、複数の第２箱部（灯具）１６と複数の第３箱部（点灯装置１９）１８をそれぞれ浮遊状態（アームレス状態）に配置して意匠性を高めることができる。
【００２３】
なお、本発明に係る照明器具１０，４０は、前述した第１実施形態に限定されるものではなく適宜変更、改良などが可能である。
例えば、第１実施形態では、第２箱部１６を灯具とし、第３箱部１８に点灯装置１９を収容したが、これに限定するものではなく、第２箱部１６に点灯装置１９を収容し、第３箱部１８を灯具とすることも可能である。
【００２４】
また、第１実施形態で使用した第１箱部１４、第２箱部１６、第３箱部１８、点灯装置１９、支持アーム（第１支持部材）２２および支持フレーム（第２支持部材）２４などの形状や構成は例示したものに限定するものではなく適宜変更が可能である。
【符号の説明】
【００２５】
１０，４０  照明器具
１４  第１箱部
１４Ａ  第１箱部の側面
１６  第２箱部
１８  第３箱部
１９  点灯装置
２２  支持アーム（第１支持部材）
２４  支持フレーム（第２支持部材）
【図１】
2011210527.tif 000003
【図２】
2011210527.tif 000004
【図３】
2011210527.tif 000005
【図４】
2011210527.tif 000006
【図５】
2011210527.tif 000007
【図６】
2011210527.tif 000008